(57)【特許請求の範囲】
【請求項１】
略長方形状の基台と、フィルムを両端部が筒状に形成された芯材に巻き回してなるロール体を横架した状態で所定の高さに支持し、起倒自在な一対の載置台（Ａ）と、上記芯材を横架した状態でその両端部を、上記載置台（Ａ）による支持位置より低い位置で支持する一対の載置台（Ｂ）とを備え、上記一対の載置台（Ｂ）が、上記基台上に起立姿勢で設けられ、各載置台（Ｂ）が、基台から立ち上がる起立部と、この起立部上に水平に設けられる芯材載置部と、芯材の長手方向の動きを抑制する当止めと、芯材の周方向の動きを抑制する保持部とを有し、上記各載置台（Ｂ）の起立部に、本体部と、この本体部に回動自在に取り付けられるクランプ部とを有し、上記クランプ部を回動させ、上記載置台（Ｂ）に横架される上記芯材の端部開口に、上記クランプ部の先端を入り込ませることにより、上記芯材が上記載置台（Ｂ）上で固定され、上記クランプ部を初期位置に戻すことにより、上記芯材の固定が解除されるよう構成された芯材保持手段が設けられていることを特徴とするロール支持台。
【請求項２】
上記クランプ部の回動姿勢が、根元側が上記本体部に回動自在に取り付けられるロックレバーによって固定され、もしくは解除されるようになっている請求項１記載のロール支持台。
【請求項３】
長さの異なる複数の上記ロール体が用意され、上記ロール体の長さに応じて、上記載置台（Ａ）および載置台（Ｂ）の取り付け位置が、変更可能になっている請求項１または２に記載のロール支持台。
【発明の詳細な説明】
【技術分野】
【０００１】
本発明は、プラスチックフィルム、とりわけ偏光フィルム等を形成するためのポリビニルアルコール系フィルム等のシート状長尺物を芯材に巻き回してなるロール体を、その芯材の左右両端で支持し、ロール体を横架した状態で保管または輸送するためのロール支持台に関するものである。
【背景技術】
【０００２】
従来、ポリビニルアルコール樹脂からなるポリビニルアルコール系フィルムや、ポリビニルアルコール系フィルムからなる偏光フィルム等の最終製品を製造するために用いる大型の原反フィルムは、保管または輸送中の傷付きや変形等を防止するため、このフィルムより幅広の芯材（芯管）に巻き回してロール体（長尺ロール）とした後、そのロール体の、左右に突出する芯材の両端部分を、略Ｕ字状または略Ｖ字状等の芯材受け部を備える左右一対の載置台で支持し、このロール体を横架した状態（中央のフィルム部分を空中に浮かせた状態）で、保管または輸送が行われる。
【０００３】
このようなロール支持台として、例えば、特許文献１に示されるロール支持台が知られている。このものは、高さの異なる載置台（Ａ）と載置台（Ｂ）とを備えており、フィルムの出荷時には、上記ロール体を載置台（Ａ）で高い位置に支持しているが、ロール支持台の返却時には、上記載置台（Ａ）を折り畳むとともに、低い方の載置台（Ｂ）を基台の上面から上方に突出させ、この載置台（Ｂ）で巻き回されたフィルムが空になった芯材を支持するもので、芯材の落下等を防止するため、芯材と載置台（Ｂ）とをゴムバンド等で束ねて、固定するようになっている。このロール支持台によれば、返却時におけるロール支持台全体をコンパクトにでき、しかも、輸送時の衝撃による芯材等の破損を防止できる。そのような流れを汲むロール支持台の一例を図５および図６に示す。
【０００４】
図５は従来のロール支持台の返却時の斜視図であり、図６は、このロール支持台の使用状態を示す説明図である。すなわち、このロール支持台は、中空の角柱フレームを連結して構成された、平面視略長方形状の基台１と、フィルムを芯材３に巻き回してなるロール体６を横架した状態で所定の高さに支持する一対の載置台（Ａ）２（図５では折り畳まれている）と、フィルムが空になった芯材３の両端部を補助的に支える一対の載置台（Ｂ）４と、上記芯材３を横架した状態で保持する可倒式の芯材用載置台７と、を備えている。
【０００５】
上記ロール支持台は、フィルムの出荷時には、図６において上段に示すように、上記載置台（Ａ）２を起立させ、起立した一対の載置台（Ａ）２で、横架した状態の上記ロール体６を支持し、芯材３の返却時には、上記載置台（Ａ）２を互いに向かい合う方向に折り畳むとともに、芯材用載置台７を突出させ、図６において下段に示すように、この芯材用載置台７で芯材３を支持するようになっており、図５に示すように、芯材３の両端面を一対の載置台（Ｂ）４で覆い、芯材３の長手方向への移動を抑制するようになっている。そして、芯材３の返却時には、輸送時の衝撃により芯材３が落下等するのを防止するため、芯材３と芯材用載置台７とをゴムバンド１１で束ねて固定している。
【先行技術文献】
【特許文献】
【０００６】
【特許文献１】特開２０１０−２６５０２４号公報
【発明の概要】
【発明が解決しようとする課題】
【０００７】
このように、高さの異なる二種類の載置台を使い分けて用いるロール支持台は、返却時におけるロール支持台をコンパクトにできるという利点があるものの、返却の都度、芯材用載置台７を起立させる必要があるため、手間がかかる。また、フィルムが空の芯材３を輸送する場合、芯材３をゴムバンド１１により芯材用載置台７に固定しているだけであるため、輸送時に過度の衝撃が加えられると、その衝撃により芯材３が跳ね上がり、芯材３や芯材用載置台７等に変形や破損が生じるおそれがある。また、芯材３の両端面を覆うようにして一対の載置台（Ｂ）が設けられているため、この状態では、クレーン等のアームを芯材３の各端部開口に差し入れることができず、芯材３を持ち上げることが困難であるという問題がある。その上、芯材３の固定に用いるゴムバンド１１は劣化しやすいため、作業時や輸送時などに千切れて芯材３が脱落するおそれがあるという問題もある。このため、その改良が強く求められている。
【０００８】
本発明は、このような事情に鑑みなされたもので、簡単な操作を行うだけで、芯材３をしっかりと固定でき、しかも、輸送時に過度の衝撃が加えられても、その衝撃によって芯材３が動くことのない、使い勝手のよいロール支持台の提供をその目的とする。
【課題を解決するための手段】
【０００９】
上記目的を達成するため、本発明のロール支持体は、略長方形状の基台と、フィルムを両端部が筒状に形成された芯材に巻き回してなるロール体を横架した状態で所定の高さに支持し、起倒自在な一対の載置台（Ａ）と、上記芯材を横架した状態でその両端部を、上記載置台（Ａ）による支持位置より低い位置で支持する一対の載置台（Ｂ）とを備え、上記一対の載置台（Ｂ）が、上記基台上に起立姿勢で設けられ、各載置台（Ｂ）が、基台から立ち上がる起立部と、この起立部上に水平に設けられる芯材載置部と、芯材の長手方向の動きを抑制する当止めと、芯材の周方向の動きを抑制する保持部とを有し、上記各載置台（Ｂ）の起立部に、本体部と、この本体部に回動自在に取り付けられるクランプ部とを有し、上記クランプ部を回動させ、上記載置台（Ｂ）に横架される上記芯材の端部開口に、上記クランプ部の先端を入り込ませることにより、上記芯材が上記載置台（Ｂ）上で固定され、上記クランプ部を初期位置に戻すことにより、上記芯材の固定が解除されるよう構成された芯材保持手段が設けられているロール支持台をその要旨とする。
【００１０】
すなわち、本発明者らは、フィルム使用後に返却されるロール支持台において、芯材の保護を図るべく、研究を重ねた。その結果、上記芯材として両端部が筒状に形成されたものを用い、上記載置台（Ａ）より低い位置で芯材を支持する一対の第２の載置台（Ｂ）の、各起立部に、上記載置台（Ｂ）に横架される上記芯材の両端部を固定して芯材の支持状態を保持し、芯材を取り外す際には、その固定を解除するよう構成された特殊な芯材保持手段を設けると、従来のように、ロール支持台に、ロール体の非積載時のみ基台の上面から上方に突出する芯材用載置台を設けたり、芯材の固定にゴムバンドを用いる必要がなく、簡単な構成でありながら、芯材をしっかりと固定することができることを見い出し、本発明に到達した。
【発明の効果】
【００１１】
このように、本発明のロール支持台は、上記芯材として両端部が筒状に形成されたものを用い、上記一対の載置台（Ａ）による支持位置より低い位置で支持する一対の載置台（Ｂ）の、各起立部に、上記載置台（Ｂ）に横架される芯材の両端部を載置台（Ｂ）側に固定して芯材の支持状態を保持しうる特殊な芯材保持手段が設けられている。このため、従来のように、ロール体の非積載時のみ基台の上面から上方に突出する芯材用載置台を設ける等、基台の構成を複雑にしたり、芯材の固定にゴムバンドを用いたりする必要がなく、芯材を載置台（Ｂ）に確実に固定でき、また、この固定を解除することができる。そして、上記一対の載置台（Ａ）が起倒自在に設けられているため、ロール支持台の返却時には、これらを倒伏させて折り畳み、ロール支持台をコンパクトにすることができ、より一層の省スペース化が図られている。
【００１２】
すなわち、上記芯材として、両端部が筒状に形成されたものを用い、上記載置台（Ｂ）の各起立部に設けられる芯材保持手段が、上記基台もしくは上記載置台（Ｂ）に固定される本体部と、この本体部に回動自在に取り付けられるクランプ部とを有し、上記クランプ部を回動させ、上記載置台（Ｂ）に横架される上記芯材の端部開口に、上記クランプ部の先端を入り込ませることにより、上記芯材が上記載置台（Ｂ）上で固定され、上記クランプ部を初期位置に戻すことにより、上記芯材の固定が解除されるよう構成されているため、芯材保持手段を大掛かりにせずに、省スペースに配設できる。また、簡単な構成でありながら、芯材を載置台（Ｂ）上に確実、かつ簡単に固定できるため、使い勝手がよい。
【００１３】
また、上記クランプ部の回動姿勢が、根元側が上記本体部に回動自在に取り付けられるロックレバーによって固定され、もしくは解除されるようになっていると、簡単な操作で、芯材と載置台（Ｂ）をより確実に固定、解除でき、操作性がよい。
【００１４】
さらに、長さの異なる複数の上記ロール体が用意され、上記ロール体の長さに応じて、上記載置台（Ａ）および載置台（Ｂ）の取り付け位置が、変更可能になっていると、フィルムまたは芯材のサイズ（幅）に合わせて載置台（Ａ）および載置台（Ｂ）の取り付け位置を変更させるだけで、各種サイズのフィルムを輸送、保管することができる。このため、フィルムまたは芯材のサイズ（幅）の種類の数だけロール支持台を準備、保管する必要がなくなり、コストの削減および省スペース化を図ることができる。
【図面の簡単な説明】
【００１５】
【図１】本発明の一実施の形態を説明する斜視図である。
【図２】（ａ）は上記実施の形態における芯材保持手段をＸ方向から見た状態を示す矢視図であり、（ｂ）同じく芯材保持手段をＹ方向から見た状態を示す矢視図である。
【図３】（ａ），（ｂ）はともに上記芯材保持手段におけるクランプ部およびロックレバーの動作を説明する説明図である。
【図４】上記実施の形態における載置台（Ａ）および載置台（Ｂ）の取り付け位置を示す状態説明図である。
【図５】従来例のロール支持台を説明する斜視図である。
【図６】上記ロール支持台の使用状態を示す説明図である。
【発明を実施するための形態】
【００１６】
つぎに、本発明を実施するための形態について説明する。
【００１７】
図１は、本発明の一実施の形態であるロール支持台の返却時の状態を斜視図で示している。すなわち、このロール支持台は、フィルムを芯材３に巻き回してなるロール体６か、フィルムが空になった芯材３を支持するためのもので、中空の角柱フレームを連結して構成された平面視略長方形状の基台１と、上記ロール体６を横架した状態で所定の高さに支持する一対の載置台（Ａ）２と、上記芯材３を横架した状態で支持する一対の載置台（Ｂ）４と、上記載置台（Ｂ）４の近傍のそれぞれに設けられる芯材保持手段５と、上記基台１の四隅に設けられる四本の支柱８と、を備えている。
【００１８】
より詳しく説明すると、上記基台１は、鉄等の金属製の中空角材を連結して形成されており、図１に示すように、長辺を構成する二本の長い長辺フレーム１ａと、短辺を構成する二本の短い短辺フレーム１ｂとで、平面視略長方形状に形成されている。
【００１９】
そして、上記基台１の各長辺フレーム１ａの内側には、上記基台１を補強するとともに、載置台（Ａ）２の取り付け部となる二本の内側フレーム１ｃが、長辺フレーム１ａと平行に設けられている。
【００２０】
上記内側フレーム１ｃには、上記一対の載置台（Ａ）２が、互いに向かい合う方向に起倒自在に取り付けられており、これらを起立させるとロール体６を所定の高さで支持でき、ロール支持台の返却時には、これらを倒伏させて、折り畳むようになっている（図６の上段参照）。
【００２１】
また、上記基台１の四隅には、起倒自在な四本の支柱８が設けられているとともに、その支柱８の起立時に各支柱８のガイドとなる補助フレーム８ａが立設されている。すなわち、各支柱８は、回動部８ｂを支点に、基台１の長手方向に沿って起立、倒伏するようになっており、支柱８が起立時にはその根元部分が補助フレーム８ａにはめ込まれて、起立姿勢が保持されるようになっている。また、支柱８は、図１に示すように、上記基台１の長辺フレーム１ａに沿って内向きに折り畳むことができ、それに伴い、補助フレーム８ａが基台１から高く突出するようになっている。そして、上記補助フレーム８ａの下端には、同じ形状の他のロール支持台の各支柱８の上端または各補助フレーム８ａの上端と嵌合する脚部１０がそれぞれ設けられている。したがって、この脚部１０と、他のロール支持台の支柱８もしくは補助フレーム８ａとを嵌合させることによって、支柱８を起立させた状態もしくは支柱８を折り畳んだ状態で、ロール支持台同士を多段に積重することができるようになっている。
【００２２】
そして、上記基台１の短辺を構成する二本の短辺フレーム１ｂには、芯材３を横架した状態で支持するための一対の載置台（Ｂ）４が設けられている。この載置台（Ｂ）４は、ロール支持台の返却時に、上記支柱８を倒して折り畳むと同時に、上記載置台（Ａ）２を折り畳み、ロール支持台の高さを低くした状態で、上記載置台（Ａ）２より低い位置で芯材３を支持するためのものである。
【００２３】
上記載置台（Ｂ）４は、図２（ａ），図２（ｂ）に示すように、基台１の短辺フレーム１ｂから立ち上がる起立部４ａと、この起立部４ａ上に水平に設けられる芯材３の載置部４ｂと、芯材３の長手方向の動きを抑制する当止め４ｃと、芯材３の周方向の動きを抑制する保持部４ｄとを有している。なお、上記載置部４ｂの上には、芯材３の滑り止めおよび外部からの衝撃を緩衝するため、ゴムシート１３が配設されている。
【００２４】
そして、上記載置台（Ｂ）４の側方（芯材３を支持する側と反対側）には、芯材３を支持する際に、その支持状態を固定するための芯材保持手段５が設けられている。この芯材保持手段５の本体部５ａは、同じく図２（ａ），図２（ｂ）に示すように、載置台（Ｂ）４の起立部４ａの側面４ｅに固定された、二枚の対設された板で構成されている。そして、この本体部５ａに、係合用ピン５ｇを介して、略Ｌ字状のクランプ部５ｂが回動および摺動自在に取り付けられている。すなわち、上記クランプ部５ｂの側面には長穴５ｆが設けられており、上記係合用ピン５ｇはこの長穴５ｆに挿通されているため、上記クランプ部５ｂが上記長穴５ｆに沿って上下方向に摺動し、かつ、上記係合用ピン５ｄを中心に回動できるようになっている。また、上記クランプ部５ｂには、その縦辺部の上部に、係合用ピン５ｄが水平に貫通固定されているとともに、上記本体部５ａの対設された各板の上端部に係合用の切欠５ｃが設けられている。そして、上記クランプ部５ｂを回動および摺動させて、直立姿勢（図２（ａ）において鎖線５ｂ’で示す）にした状態でストンと下に落とすと、上記係合用ピン５ｄが上記係合用の切欠５ｃに係合し、クランプ部５ｂの直立姿勢が保持されるようになっている。したがって、芯材３の端部開口下部が、上記クランプ部５ｂの横辺部の先端に設けられた弾性部材１４と上記載置部４ｂに狭持され、固定されるようになる。
【００２５】
また、上記クランプ部５ｂの内側には、上記クランプ部５ｂの回動を抑制し、芯材３の載置台（Ｂ）４への固定を確実にするためのロックレバー１２が設けられている。このロックレバー１２は、略Ｌ字状の形状を有しており、その一端側（回動部１２ａ）がクランプ部５ｂの回動中心である係合用ピン５ｄを共用して回動自在に取り付けられている。そして、上記ロックレバー１２の他端側の他端部１２ｃはフリーの状態で、上記クランプ部５ｂの縦辺部中央に上下方向に延びる長穴５ｅから外側に突出している。
【００２６】
上記ロックレバー１２の回動部１２ａは、その下端が特殊な円弧状に形成されているため、図２（ａ）に示すように、本体部５ａの切欠５ｃに、クランプ部５ｂの係合用ピン５ｄが係合して、クランプ部５ｂが直立姿勢になった状態で、ロックレバー１２のフリーとなっている他端部１２ｃを下向きに押しながら、ロックレバー１２を奥に押し込むように回動させると、上記回動部１２ａの下端部分が、クランプ部５ｂの下端より下に入り込み、平面視Ｖ字状に切れ込んだ折れ曲がり部１２ｂが、クランプ部５ｂの長穴５ｅの下端縁と係合する。このとき、ロックレバー１２には、クランプ部５ｂの重量が掛かって下向きに押され、ロックレバー１２のフリーな他端部１２ｃは、図２（ａ）において太矢印に示すように内側に入り込もうとするため、全体として内側に向く力が働いて、容易に動くことがない。したがって、上記芯材３の載置台（Ｂ）４への固定を確実にロックすることができる。
【００２７】
上記ロックを解除し、上記芯材３を上記載置台（Ｂ）４上から取り出すには、図３（ａ）の太矢印に示すように、まずロックレバー１２のフリーとなっている他端部１２ｃを、クランプ部５ｂの重みに抗いながら手前に引き上げ、ロックレバー１２の折れ曲がり部１２ｂとクランプ部５ｂの長穴５ｅとの係合を解除する。そして、クランプ部５ｂの全体を矢印に示すように上方向に持ち上げ、本体部５ａの切欠５ｃとクランプ部５ｂの係合用ピン５ｄの係合を外す。これにより、図３（ｂ）に示すように、クランプ部５ｂを、係合用ピン５ｇを中心にクランプ部５ｂを回動して、手前（図では右方向）に倒し、上記芯材３への固定を解除することができる。したがって、この状態で、芯材３を上記載置台（Ｂ）４上から取り出すことができる。
【００２８】
上記ロール支持台によれば、上述のように、空の芯材３を載置する載置台（Ｂ）４近傍のそれぞれに、その横架された芯材３を固定し、また、芯材３を取り外す際にはその固定を解除するよう構成された芯材保持手段５が設けられている。このため、従来のように、ロール体６の非積載時にのみ基台１の上面から上方に突出する芯材用載置台を設けて、これと芯材３とをゴムバンド１１で固定することが不要となる。よって、簡単な操作で、芯材３を載置台（Ｂ）４に確実に固定でき、また、この固定を解除することができ、使い勝手がよい。
【００２９】
特に、この例では、上記芯材３として、両端部が筒状に形成されたものを用い、上記芯材保持手段５を、上記載置台（Ｂ）４に固定される本体部５ａと、この本体部５ａに回動自在に取り付けられるクランプ部５ｂとで構成しているため、上記クランプ部５ｂを回動させることにより、上記載置台（Ｂ）４に横架される上記芯材３の開口端部に、上記クランプ部５ｂの先端を入り込ませ、上記芯材３を上記載置台（Ｂ）４に固定することができる。その際、クランプ部５ｂの横辺部の先端に、ゴムからなる弾性部材１４が設けられているため、上記芯材３の保持性が高くなるとともに、外部から衝撃をより吸収できるため、上記芯材３の保護が一層図られている。そして、上記クランプ部５ｂを初期位置に戻すことにより、上記芯材３の固定を容易に解除することができる。このため、芯材保持手段５が大掛かりなものとならず、省スペースとなる。
【００３０】
また、上記支柱８が起倒自在に設けられているとともに、上記一対の載置台（Ａ）が互いに向かい合う方向に起倒自在に設けられているため、上記支柱８および載置台（Ａ）を折り畳み、上記載置台（Ｂ）で芯材３を支持させることにより、返却時におけるロール支持台をコンパクトにすることができ、より一層の省スペース化が図られている。
【００３１】
そして、上記クランプ部５ｂの回動姿勢が、根元側が上記本体部に取り付けられるロックレバー１２によって固定され、もしくは解除されるようになっているため、とりわけ操作性がよく、芯材３と載置台（Ｂ）４をより確実に固定、解除できる。
【００３２】
また、上記実施の形態では、上記芯材３として、両端部が筒状に形成されたものを用い、上記芯材保持手段５が、上記載置台（Ｂ）４に固定される本体部５ａと、この本体部５ａに回動自在に取り付けられるクランプ部５ｂとを有するものを用いているため、単純な構造で、確実に芯材３を保持できる。
【００３３】
そして、上記実施の形態では、上記クランプ部５ｂの横辺部の先端に、弾性部材１４として、ゴムを設けるようにしているが、これに限らずその他の弾性の高い部材を用いることもできる。また、この弾性部材１４は必ずしも設けなくてもよい。しかし、芯材３の保持性を高めるとともに、外部からの衝撃を吸収し、芯材３の保護を図ることができる点で、上記弾性部材１４を設けることが好ましい。ここで、上記ゴムとしては、例えば、天然ゴムの他、アクリルゴム、ニトリルゴム、イソプレンゴム、ウレタンゴム、エチレンプロピレンゴム、クロロスルホン化ポリエチレン、エピクロルヒドリンゴム、クロロプレンゴム、シリコーンゴム、スチレン・ブタジエンゴム、ブタジエンゴム、フッ素ゴム、ポリイソブチレン等の合成ゴムがあげられる。
【００３４】
また、上記実施の形態では、上記クランプ部５ｂの姿勢を固定するために、クランプ部５ｂの内側において本体部５ａ側の係合用ピン５ｇに取り付けられるロックレバー１２を用いているが、この他のロック機構を用いるようにしてもよい。しかし、操作の容易さと、設置スペースが少なくて済む点から、上記ロックレバー１２による固定・解除機構を用いることが好ましい。
【００３５】
そして、上記実施の形態では、基台１の短辺フレーム１ｂ上の載置台（Ｂ）４を、特に倒伏可能にしていないが、倒伏可能に設けるようにしてもよい。この場合、ロール支持台を使用しない際の保管スペースを、さらに少なくすることができる。
【００３６】
また、上記実施の形態では、載置台（Ｂ）４の起立部４ａを、特に伸縮可能にしていないが、伸縮可能に設けるようにしてもよい。この場合、芯材３に巻き回される残りフィルム量に応じて、載置台（Ｂ）４の高さを微調整することができるという利点を有する。
【００３７】
さらに、上記の実施の形態では、上記載置台（Ａ）２および載置台（Ｂ）４の取り付け位置を特に変更可能にしていないが、例えば、図４に示すように、変更可能にすることもできる。この場合、基台１の内側フレーム１ｃの長手方向に、上記載置台（Ａ）２を取り付けるための取り付け穴を複数個所設けるとともに、上記二本の内側フレーム１ｃの間にもう一本、基台１の中央に延びるガイドフレームを設け、このガイドフレームの長手方向に、載置台（Ｂ）４を取り付けるための取り付け穴を複数個所設けるようにすると、幅の異なる複数の上記ロール体６が用意された際、そのロール体６の幅に応じて、上記載置台（Ａ）２および載置台（Ｂ）４の取り付け位置を自在に変更できる。よって、ロール体６のサイズ（幅）の数だけロール支持台を準備、保管する必要がなくなり、コストの削減および省スペース化を図ることができる。なお、図４では、各ロール体６を、基台１の中央部分に寄せるように載置台（Ａ）２および載置台（Ｂ）４を配置しているが、これらを基台１の片側に寄せるようにしてもよい。ロール支持台をバランスよく積重する点からは、中央部分に寄せることが好ましいが、作業効率を考えると、いずれか片側に寄せることが好ましい。
【産業上の利用可能性】
【００３８】
本発明のロール支持台は、プラスチックフィルム等のシート状長尺物を芯材に巻き回してなるロール体を、その芯材の左右両端で支持し、ロール体を横架した状態で保管または輸送するために利用できる。
【符号の説明】
【００３９】
１    基台
２    載置台（Ａ）
３    芯材
４    載置台（Ｂ）
５    芯材保持手段
８    支柱
【図１】
0005832805.tif 000002
【図２】
0005832805.tif 000003
【図３】
0005832805.tif 000004
【図４】
0005832805.tif 000005
【図５】
0005832805.tif 000006
【図６】
0005832805.tif 000007